(57)【要約】【課題】予約や録画の確実さ、手軽さ、と言った、予約設定録画における本質面での使い勝手を向上させた録画システム、録画装置及び録画方法を提供すること。【解決手段】サーバ９は、少なくともチャンネル，開始日時，終了日時，番組名、連続放送番組についての繰り返し予約設定情報を含む電子番組案内情報を記憶し、該電子番組案内情報をネットワークに送出することが可能である。受信手段であるチューナ部１１は、放送局８から送信されるテレビジョン放送信号を受信する。取得手段がネットワーク７経由でサーバ９にアクセスして電子番組案内情報を取得し、選択手段が電子番組案内情報の中から所望の連続放送番組を選択すると、予約設定手段は自動的に前記繰り返し予約設定情報に基づく毎週、或いは毎日などの繰り返し予約設定を行うことができる。【選択図】  図１
2005244661.tif 000002
【特許請求の範囲】
【請求項１】
チャンネル，開始日時，終了日時，番組名、連続放送番組についての繰り返し予約設定情報を含む電子番組案内情報が記憶され、該電子番組案内情報をネットワークに送出することが可能なサーバと、
放送局から送信されるテレビジョン放送信号を受信する受信手段と、
ネットワーク経由で前記サーバにアクセスして前記電子番組案内情報を取得する取得手段と、
前記取得手段にて取得した電子番組案内情報の中から所望の番組を選択する選択手段と、
前記選択手段が連続放送番組を選択したとき、自動的に前記繰り返し予約設定情報に基づく予約設定を行なう予約設定手段と、
前記予約設定手段にて設定された開始日時になると、設定されているチャンネルの番組を前記受信手段にて受信させる制御手段と、
前記受信手段にて受信した予約番組を記録媒体に記録する記録部と、
を具備したことを特徴とする録画システム。
【請求項２】
テレビジョン放送信号を受信する受信手段と、
チャンネル，開始日時，終了日時，番組名、連続放送番組についての繰り返し予約設定情報を含む電子番組案内情報を、外部から取得する取得手段と、
前記取得手段にて取得した電子番組案内情報の中から所望の番組を選択する選択手段と、
前記選択手段が連続放送番組を選択したとき、自動的に前記繰り返し予約設定情報に基づく予約設定を行なう予約設定手段と、
前記予約設定手段にて設定された開始日時になると、設定されているチャンネルの番組を前記受信手段にて受信させる制御手段と、
前記受信手段にて受信した予約番組を記録媒体に記録する記録部と、
を具備したことを特徴とする録画装置。
【請求項３】
前記繰り返し予約設定情報は、１週間のうちの特定の曜日ごと例えば毎月〜毎金、毎土等や、毎週または毎日等の繰り返し予約設定を行う設定日情報であることを特徴とする請求項２に記載の録画装置。
【請求項４】
前記取得手段は、ネットワーク経由でサーバにアクセスして電子番組案内情報を、外部から取得することを特徴とする請求項２又は３に記載の録画装置。
【請求項５】
前記取得手段は、前記受信手段にて受信されたテレビジョン放送信号から電子番組案内情報を取得することを特徴とする請求項２又は３に記載の録画装置。
【請求項６】
テレビジョン放送信号を受信する受信手段と、
チャンネル，開始日時，終了日時，番組名を含む電子番組案内情報を、外部から取得する取得手段と、
前記取得手段にて取得した電子番組案内情報の中から所望の番組を選択する選択手段と、
前記選択手段が番組を選択したとき、選択された番組の予約設定を行なう予約設定手段と、
前記予約設定手段で設定された予約番組情報を定期的あるいは特定のタイミングでチェックし、手動設定や修正が入っていない設定された予約番組情報を最新なものに自動更新する手段と、
前記予約設定手段にて設定された開始日時になると、設定されているチャンネルの番組を前記受信手段にて受信させる制御手段と、
前記受信手段にて受信した予約番組を記録媒体に記録する記録部と、
を具備したことを特徴とする録画装置。
【請求項７】
テレビジョン放送信号を受信する受信ステップと、
チャンネル，開始日時，終了日時，番組名、連続放送番組についての繰り返し予約設定情報を含む電子番組案内情報を、外部から取得する取得ステップと、
前記取得ステップにて取得した電子番組案内情報の中から所望の番組を選択する選択ステップと、
前記選択ステップが連続放送番組を選択したとき、自動的に前記繰り返し予約設定情報に基づく予約設定を行なう予約設定ステップと、
前記予約設定ステップにて設定された開始日時になると、設定されているチャンネルの番組を前記受信ステップにて受信させる制御ステップと、
前記受信ステップにて受信した予約番組を記録媒体に記録する記録ステップと、
を具備したことを特徴とする録画方法。
【発明の詳細な説明】
【技術分野】
【０００１】
本発明は、ネットワーク経由でサーバから或いは放送波によるデジタル放送信号から電子番組案内情報を取得したり、さらに更新したりする機能を持った録画システム、録画装置及び録画方法に関する。
【背景技術】
【０００２】
従来、放送に連続性のある番組の録画予約及び視聴予約を容易な操作で実行でき、放送を見逃すことなく予約設定可能とする番組予約装置が提案されている（例えば、特許文献１参照）。
【０００３】
特許文献１には、番組情報に毎週放送される連続番組であることを表示し、ユーザが所定のマークを付加し予約設定する。予約番組に関する変更情報を受信した場合は、予約テーブルの内容を最新の内容に変更してから、録画を開始する。連続番組の最終回であることが表示されたら、予約テーブルからこの番組情報を削除する、ことが記載されている。
【特許文献１】特開２００２−２１８３３３号公報
【発明の開示】
【発明が解決しようとする課題】
【０００４】
しかしながら、特許文献１では、番組情報に毎週放送される連続番組であることを表示し、ユーザが所定のマークを付加し予約設定するものであり、ユーザが操作しなければならい箇所があった。毎週，毎日のような繰り返し予約設定を行うと共に、連続番組の開始日より終了日までを簡単に予約設定できるものではなかった。
【０００５】
そこで、本発明は上記の問題に鑑みてなされたもので、所望の番組予約設定を設定漏れなく確実に、手軽に行え、予約設定録画における本質面での使い勝手を向上させた録画システム、録画装置及び録画方法を提供することを目的とするものである。
【課題を解決するための手段】
【０００６】
本発明による第１の録画システムは、
チャンネル，開始日時，終了日時，番組名、連続放送番組についての繰り返し予約設定情報を含む電子番組案内情報が記憶され、該電子番組案内情報をネットワークに送出することが可能なサーバと、
放送局から送信されるテレビジョン放送信号を受信する受信手段と、
ネットワーク経由で前記サーバにアクセスして前記電子番組案内情報を取得する取得手段と、
前記取得手段にて取得した電子番組案内情報の中から所望の番組を選択する選択手段と、
前記選択手段が連続放送番組を選択したとき、自動的に前記繰り返し予約設定情報に基づく予約設定を行なう予約設定手段と、
前記予約設定手段にて設定された開始日時になると、設定されているチャンネルの番組を前記受信手段にて受信させる制御手段と、
前記受信手段にて受信した予約番組を記録媒体に記録する記録部と、を具備したものである。
【０００７】
この第１の録画システムによれば、連続ドラマなどの連続放送番組について、ネットワーク経由でサーバにアクセスして得られた電子番組案内情報の中から連続放送番組を選択するだけで、確実な予約設定（設定漏れ軽減）が可能となり、予約作業の簡易化が可能となる。
【０００８】
本発明による第１の録画装置は、
テレビジョン放送信号を受信する受信手段と、
チャンネル，開始日時，終了日時，番組名、連続放送番組についての繰り返し予約設定情報を含む電子番組案内情報を、外部から取得する取得手段と、
前記取得手段にて取得した電子番組案内情報の中から所望の番組を選択する選択手段と、
前記選択手段が連続放送番組を選択したとき、自動的に前記繰り返し予約設定情報に基づく予約設定を行なう予約設定手段と、
前記予約設定手段にて設定された開始日時になると、設定されているチャンネルの番組を前記受信手段にて受信させる制御手段と、
前記受信手段にて受信した予約番組を記録媒体に記録する記録部と、を具備したものである。
【０００９】
この第１の録画装置によれば、連続ドラマなどの連続放送番組について、電子番組案内情報の中から連続放送番組を選択するだけで、確実な予約設定（設定漏れ軽減）が可能となり、予約作業の簡易化が可能となる。予約設定は繰り返し（毎水など）の毎○予約有効開始日（○月○日以降等）も指定できることが特徴です。従来は毎水など、スタート日は指定できませんでした。２週間先からの番組でもその前にその曜日が来たら録画されていた。
【００１０】
本発明の第２の録画装置は、第１の録画装置において、
前記繰り返し予約設定情報は、１週間のうちの特定の曜日ごと例えば毎月〜毎金、毎土等や、毎週または毎日等の繰り返し予約設定を行う設定日情報であることを特徴とする。
【００１１】
本発明の第３の録画装置は、第１又は２の録画装置において、
前記取得手段は、ネットワーク経由でサーバにアクセスして電子番組案内情報を、外部から取得することを特徴とする。
【００１２】
本発明の第４の録画装置は、第１又は２の録画装置において、
前記取得手段は、前記受信手段にて受信されたテレビジョン放送信号から電子番組案内情報を取得することを特徴とする。
【００１３】
本発明による第５の録画装置は、
テレビジョン放送信号を受信する受信手段と、
チャンネル，開始日時，終了日時，番組名を含む電子番組案内情報を、外部から取得する取得手段と、
前記取得手段にて取得した電子番組案内情報の中から所望の番組を選択する選択手段と、
前記選択手段が番組を選択したとき、選択された番組の予約設定を行なう予約設定手段と、
前記予約設定手段で設定された予約番組情報を定期的あるいは特定のタイミングでチェックし、手動設定や修正が入っていない設定された予約番組情報を最新なものに自動更新する手段と、
前記予約設定手段にて設定された開始日時になると、設定されているチャンネルの番組を前記受信手段にて受信させる制御手段と、
前記受信手段にて受信した予約番組を記録媒体に記録する記録部と、を具備したものである。
【００１４】
この第５の録画装置によれば、手動設定や修正が入っていない予約情報は、例えば１日１回は（または或るタイミングで）最新なものに自動更新するので、ユーザによる予約（一覧）の確認のし易さと、ライブラリ化作業軽減の両立を図ることができる。
【００１５】
本発明による第１の録画方法は、
テレビジョン放送信号を受信する受信ステップと、
チャンネル，開始日時，終了日時，番組名、連続放送番組についての繰り返し予約設定情報を含む電子番組案内情報を、外部から取得する取得ステップと、
前記取得ステップにて取得した電子番組案内情報の中から所望の番組を選択する選択ステップと、
前記選択ステップが連続放送番組を選択したとき、自動的に前記繰り返し予約設定情報に基づく予約設定を行なう予約設定ステップと、
前記予約設定ステップにて設定された開始日時になると、設定されているチャンネルの番組を前記受信ステップにて受信させる制御ステップと、
前記受信ステップにて受信した予約番組を記録媒体に記録する記録ステップと、を具備したものである。
【００１６】
この第１の録画方法によれば、連続ドラマなどの連続放送番組について、電子番組案内情報の中から連続放送番組を選択するだけで、確実な予約設定（設定漏れ軽減）が可能となり、予約作業の簡易化が可能となる。
【００１７】
以上述べた本発明によれば、録画装置からネットワーク（指定したサーバ）に動的にアクセスし、或いは、受信手段にて受信されたテレビジョン放送信号から番組表や対象番組の情報を取得し、これらの番組表や情報に基づいて自動予約設定したり、番組表や情報を自動更新したりすることで、以下のメリットを得ることができる。
【００１８】
(1)確実かつ簡易な予約。
【００１９】
(2)予約（一覧）結果の確認のし易さの向上。
【発明の効果】
【００２０】
本発明によれば、(1)予約が２ステップ（番組選択、予約確認・確定）で、しかも設定漏れやミスなく、確実に完了することができる。更に録画結果の情報（例えば録画タイトル）上からの続編予約は１ステップで確実に完了することができる。(2)予約一覧は、ライブラリ化を考慮の上、常に最新の情報に保たれることにより、予約確認が容易である。
【発明を実施するための最良の形態】
【００２１】
発明の実施の形態について図面を参照して説明する。
【実施例１】
【００２２】
図１は本発明の実施例１の録画システム及び録画装置のブロック図を示している。 
図１において、録画システムは、録画装置１と、放送受信用アンテナ２と、操作手段としての赤外線などによるリモートコントロール送信機（以下、リモコン）３と、外部から映像信号を供給可能なＤＶＤなどの外部映像機器４と、液晶表示パネルなどの表示手段としてのディスプレイ５と、インターネットなどの外部ネットワークに接続するためのモデム６と、インターネットなどのネットワーク７と、電子番組案内情報が多重されたテレビジョン放送信号を送信する放送局８と、放送局８から放送される放送番組の電子番組案内情報を蓄積していて、ネットワーク７に接続されていてネットワーク７経由で録画装置１に前記電子番組案内情報を送出することが可能なサーバ９と、を備えて構成されている。
【００２３】
サーバ９は、番組データベースＤＢを備えていて、絶えず或いは定期的に放送局８から番組に関するＥＰＧデータを得て、これを蓄積している。なお、図では、１つの放送局のみを示しているが、実際にはそれぞれ異なった放送番組を送出する複数の放送局が存在しており、アンテナ２は、これら複数の放送局からの複数のテレビジョン放送信号を受信し、録画装置１内の受信手段であるチューナ部１１に供給する仕組みとなっている。
【００２４】
録画装置１は、外部のアンテナ２からのテレビジョン放送信号を受信し復調する受信手段であるチューナ部１１と、チューナ部１１からの映像信号を記録媒体１３に録画しかつ録画した映像信号を再生する録画再生部１２と、操作手段としてのリモコン３からの赤外線などのリモートコントロール信号を受信するリモコン受信部１４と、録画再生部１２に対するタイマー予約録画及びその実行時のタイマー動作に必要な時間情報の発生や、タイマー動作の実行に伴う録画時間の計測を行うことが可能なタイマー部１５と、ＤＶＤなどの外部映像機器４からの映像信号を入力可能とする映像入力部１６と、チューナ部１１からの映像信号や録画再生部１２からの再生映像信号を外部の表示手段である液晶等のディスプレイ５に出力したり、ＥＰＧデータを番組表の形態でディスプレイ５に出力するグラフィック処理を行う映像出力部１７と、イーサネット（R）端子を備えて外部のモデム６にネットワーク接続するネットワーク接続部１８と、以上の当該録画装置の各部にバスライン２２を介して接続して装置各部に必要な制御を行う制御手段としてのＣＰＵ１９と、ＣＰＵ１９に接続されてプログラムメモリとして機能するＲＯＭ２０と、ＣＰＵ１９に接続されてデータメモリとして機能するＲＡＭ２１と、を備えて構成されている。
【００２５】
前記モデム６はインターネットなどのネットワーク７に接続しており、ネットワーク７には複数のＷｅｂサーバが接続している。その複数のＷｅｂサーバの中には、ＥＰＧサーバとも呼ぶべき番組案内情報（番組表情報）及び番組予約設定情報（これら２つの情報を、電子番組案内情報、略してＥＰＧデータという）を記憶したサーバ９が有る。サーバ９は、データベースＤＢを有しており、少なくとも日本国内の所定の地域におけるテレビジョン放送局が放送する番組案内情報及び番組予約設定情報を記憶している。ＥＰＧデータには、番組表の番組ごとに、チャンネル、開始日時、終了日時、番組名、ジャンル等が記述されている。ＥＰＧデータについては、リモコン３にてネットワーク接続ボタンを操作することで、ＣＰＵ１９がネットワーク接続部１８及びモデム６を介してネットワーク７経由でサーバ９にアクセスして取得することが可能となっている。そして、取得されたＥＰＧデータは、ＣＰＵ１９の制御の下に映像出力部１７でグラフィック処理されてディスプレイ５に番組表の形態で表示されるようになっている。
【００２６】
アンテナ２は例えばＢＳアンテナで構成され、ＢＳデジタル放送信号を受信可能である。チューナ部１１は、ＢＳデジタル放送信号を受信し復調するＢＳチューナを備えるほかに、ＢＳデジタル放送信号に多重されているＥＰＧデータを分離抽出する取得手段を備えた構成となっている。このＥＰＧデータも、ＣＰＵ１９の制御の下に映像出力部１７でグラフィック処理してディスプレイ５に番組表の形態で表示されるようになっている。
【００２７】
リモコン３は、チャンネル選局ボタン、ネットワーク接続ボタン、カーソルボタン、決定ボタン、予約ボタン、番組表ボタン、録画ボタン、再生ボタン、停止ボタンなどの各種の操作ボタンを備えている。
【００２８】
モデム６は、スプリッタ及びＡＤＳＬモデム、又は、ＣＡＴＶモデムなどで構成されている。記録媒体１３は、ハードディスク（ＨＤＤ）、ＤＶＤ−ＲＡＭなどで構成されており、番組データそのもの、外部から取得したＥＰＧデータである番組案内情報（番組表情報）及び番組予約設定情報、番組の録画結果を示す録画情報（開始−終了日時、チャンネル等）を記録するのに用いられる。
【００２９】
ＲＡＭ２１には、番組予約情報として図２に示すような予約一覧テーブルが記憶されるようになっている。
【００３０】
記録媒体１３に記憶されるＥＰＧデータは、前述したように少なくともチャンネル，開始日時，終了日時，番組名を含んでいるが、そのほかに、連続ドラマなどの連続放送番組についての繰り返し予約設定情報や、連続放送番組についての最終回を示す情報や、番組ごとのジャンル情報を含んでいることが望ましい。前記繰り返し予約設定情報は、１週間のうちの特定の曜日ごと例えば毎月〜毎金、毎土等や、毎週または毎日等の繰り返し予約設定を行う設定日情報を指している。
【００３１】
なお、図３(a) には、録画装置１からサーバ９に対する番組表取得要求を出して、ある放送局（例：フジテレビ）の番組情報１週間分（例：４月２５日〜４月３１日までの分）を取得するために送信するパラメータの例を示しており、図３(b) には、サーバ９からダウンロードしたある放送局（例：フジテレビ）の特定の日時（例：４月２５日）の番組情報データの例を示している。
【００３２】
次に、図４及び図５を参照して、本発明の実施例１における、録画予約時、及び予約待機時の動作を説明する。なお、実施例では、１日１回、ＥＰＧデータをサーバ９より取得する場合を例として説明する。
【００３３】
図４は録画予約時の動作のフローチャートを示している。 
図４において、
Ｓ1：ディスプレイ５の画面に表示された番組表から録画したい番組をリモコンの[決定]ボタンを押下し、選択する。
【００３４】
Ｓ2：番組表で選択した番組の情報に連続放送の放送曜日情報、即ち、繰り返し予約設定情報が入っているか否かを判定する。
【００３５】
Ｓ3：ステップＳ2で繰り返し予約設定情報が入っていたら、それに合わせて予約設定画面のデフォルト設定を毎曜日にする。（例）月-金。この時、放送日時が２週間後であったら、２週間後から毎週月-金に録画する、とした予約にしても良い。
【００３６】
Ｓ4：予約設定画面を表示する。 
Ｓ5：ユーザは予約画面を確認し、リモコンの[決定]を押下、予約を確定する。
【００３７】
以上より、２ステップ（番組選択、予約確認・確定）で、連続放送番組の録画予約を完了することができる。
【００３８】
図５は予約待機時の動作のフローチャートを示している。 
図５において、
Ｓ11：予約一覧テーブル（予約情報表）をＲＡＭ２１より取得し、ディスプレイ画面に表示する。
【００３９】
Ｓ12：１日１回、番組ごとに、番組予約情報欄手入力、又は、修正有りフラグを参照し、番組予約情報欄を手入力または修正した記録が有るか無いかを判定する。
【００４０】
Ｓ13：ステップＳ12で番組予約情報欄を手入力または修正した記録が無ければ、サーバ９にアクセスし、該当番組の最新の情報を取得、予約情報（予約名、番組説明）に反映させる。
【００４１】
Ｓ14：上記のステップＳ12，Ｓ13を全ての予約について行ったか否かを判定し、全ての予約ついて行っていなければ、ステップＳ12，Ｓ13を全ての予約について行う。
【００４２】
以上により、ライブラリ化対象（ユーザが事前に番組説明等を手動付加）の番組予約を除き、予約（一覧）結果を、常に最新の情報にしておくことができ、予約の確認が確実にできる。
【００４３】
以上述べた実施例１における内容に加えて、以下に補足して説明する。 
連続ドライブなどの連続放送番組における、放送曜日情報とは、換言すれば、繰り返し予約設定情報であり、１週間のうちの特定の曜日ごと例えば毎月〜毎金、毎土等や、毎週または毎日等の繰り返し予約設定を行う設定日情報を意味している。
【００４４】
電子番組案内情報の取得手段としては、ネットワーク経由で外部のサーバにアクセスしてサーバに蓄積されている電子番組案内情報を取得する手段や、受信手段であるチューナ部にて受信されたテレビジョン放送信号に多重されている電子番組案内情報を取得する手段がある。
【００４５】
連続ドライブなどの連続放送番組についての電子番組案内情報は、繰り返し予約設定情報のほかに開始日を示す情報を含んでいることが好ましく、これによって、予約設定手段は、連続放送番組については、開始日以降の毎週，毎日などの繰り返し予約設定を自動的に行なうことが好ましい。予約設定手段はＣＰＵ及びＲＡＭ内の予約一覧テーブルで構成される。
【００４６】
図５に示したように、ＣＰＵは、予約設定手段で設定された予約番組情報を定期的あるいは特定のタイミングでチェックし、手動設定や修正が入っていない設定された予約番組情報を最新なものに自動更新する手段を備えることが好ましい。
【００４７】
また、ＣＰＵは、手動録画時に外部のサーバなどから現放送中の電子番組案内情報を取得することで、録画結果としてＨＤＤなどの記録媒体に記憶される録画情報（開始日時、終了日時、チャンネル情報など）に最新の番組情報を入れる手段を備えることが好ましい。
【００４８】
従って、実施例１の録画システム及び録画装置によれば、予約が２ステップ（番組選択、予約確認・確定）で、しかも設定漏れやミスなく、確実に完了すること、更に録画結果（例えば録画タイトル）上からの続編予約は１ステップで確実に完了すること、予約一覧は、ライブラリ化を考慮の上、常に最新の情報に保たれることにより、予約確認が容易となること、を実現することが可能となる。
【産業上の利用可能性】
【００４９】
本発明は、テレビジョン放送信号全般の予約録画を行うのに予約録画システム、予約録画装置及びその方法に広く利用することが可能である。
【図面の簡単な説明】
【００５０】
【図１】本発明の実施例１の録画システム及び録画装置のブロック図。
【図２】予約設定テーブルの一例を示す図。
【図３】サーバへの番組取得要求及び取得された１週間分の番組表並びにその中の特定番組について取得された番組情報データを示す図。
【図４】録画予約時の動作のフローチャート。
【図５】予約待機時の動作のフローチャート。
【符号の説明】
【００５１】
１…録画装置
３…リモコン（操作手段、選択手段）
７…ネットワーク
８…放送局
９…サーバ
１１…チューナ部（受信手段）
１２…録画再生部（記録部）
１３…記録媒体
１５…タイマー部
１７…映像出力部
１８…ネットワーク部
１９…ＣＰＵ（取得手段、予約設定手段、制御手段など）
２０…ＲＯＭ（プログラムメモリ）
２１…ＲＡＭ（データメモリ）
代理人    弁理士      伊    藤      進 
【図１】
2005244661.tif 000003
【図２】
2005244661.tif 000004
【図３】
2005244661.tif 000005
【図４】
2005244661.tif 000006
【図５】
2005244661.tif 000007